(57)【要約】【課題】本発明は、過去に発売したアルバムを改めてマザーディスクより作成するような場合に対して、コンテンツデータとサブコードに必要な情報とを簡易かつ確実に管理可能とし得、また運搬を容易とすることができるようにする。【解決手段】本発明は、過去に作成した光ディスク４を再生してコンテンツデータ及びサブコードデータを取得し、これらコンテンツデータ及びサブコードデータに基づいて、カッティングに供するシリアルデータ列を生成する。【選択図】        図１
2004213789.tif 000002
【特許請求の範囲】
【請求項１】
ディスク原盤のカッティングに供するシリアルデータ列を生成するデータ処理装置において、
光ディスクより再生したコンテンツデータ及びサブコードデータを取得するデータ取得手段と、
前記コンテンツデータ及びサブコードデータに基づいて前記シリアルデータ列を生成するデータ生成手段と
を備えることを特徴とするデータ処理装置。
【請求項２】
前記コンテンツデータ及びサブコードデータを記録して保持する記録手段を有する
ことを特徴とする請求項１に記載のデータ処理装置。
【請求項３】
ディスク原盤のカッティングに供するシリアルデータ列を生成するデータ処理方法において、
過去に作成した光ディスクを再生してコンテンツデータ及びサブコードデータを取得し、
前記コンテンツデータ及びサブコードデータに基づいて前記シリアルデータ列を生成する
ことを特徴とするデータ処理方法。
【発明の詳細な説明】
【０００１】
【発明の属する技術分野】
本発明は、データ処理装置、データ処理方法に関し、例えばコンパクトディスク（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ  ）に適用することができる。本発明は、過去に作成した光ディスクを再生してコンテンツデータ及びサブコードデータを取得し、これらコンテンツデータ及びサブコードデータに基づいてカッティングに供するシリアルデータ列を生成することにより、過去に発売したアルバムを改めてマザーディスクより作成するような場合に対して、コンテンツデータとサブコードに必要な情報とを簡易かつ確実に管理可能とし得、また運搬を容易とすることができるようにする。
【０００２】
【従来の技術】
従来、コンパクトディスクにおいては、コンテンツに付随する各種情報をサブコードデータにより記録できるようになされている。すなわちコンパクトディスクにおいては、図６（Ａ）に示すように、オーディオデータによる２４バイト（１２バイト×２）のコンテンツデータに８バイト（４バイト×２）のパリティ符号、１バイトのサブコードが割り当てられて１のＥＦＭフレームが形成される。サブコードは、上位側より順に、Ｐ、Ｑ、Ｒ、Ｓ、Ｔ、Ｕ、Ｖ、Ｗと呼ばれる（図６（Ｂ））。
【０００３】
コンパクトディスクでは、図７（Ａ）に示すように、このようにして形成される９８個のＥＦＭフレームにより１つのフレーム（サブコードフレーム）が形成され、さらに７５フレームにより１秒分のコンテンツデータが形成される。各サブコードは、この１つのフレームを構成する９８個のＥＦＭフレームに対して、それぞれ先頭２ＥＦＭフレーム分が同期信号に割り当てられ、残る各１２バイトにより構成される。
【０００４】
これらのうちサブコードＰは、音楽部分を示すフラグに用いられ、図８（Ａ）及び（Ｂ）に示すように、各トラックスタート前の２〜３秒間、論理１に立ち上げられ、またリードアウトエリアにおいて、周波数２〔Ｈｚ〕により矩形波状に論理レベルが切り換わるように設定される。
【０００５】
またサブコードＱは、図８（Ｃ）及び（Ｄ）、図９に示すように、各トラックの種類を示すフラグビット（ｃｏｎｔ）、所定の固定値（ａｄｒ）、トラック番号（ＴＮＯ）、インデックス番号（Ｘ）、１トラック中の時間情報（ＴＩＭＥ（分（ＭＩＮ）、秒（ＳＥＣ）、フレーム番号（ＦＲＡＭＥ））、値０の固定値（ＺＥＲＯ）、コンパクトディスク全体の時間情報（ＡＴＩＭＥ（分（ＡＭＩＮ）、秒（ＡＳＥ）、フレーム番号（ＡＦＲＡＭ））、エラー検出符号ＣＲＣ（Ｃｙｃｌｉｃ  Ｒｅｄｕｎｄａｎｃｙ  Ｃｈｅｃｋ  ）等が割り当てられる。
【０００６】
サブコードＲ〜Ｗは、グラフィック情報、ディスク名、曲名の情報が割り当てられるものの、実際上、サブコードＰ及びＱのみに情報が割り当てられ、サブコードＲ〜Ｗには、何ら有為な情報が割り当てられていない場合も多い。なおサブコードＲ〜Ｗにグラフィック情報を割り当てる場合は、例えばいわゆるＣＤ−Ｇであり、また曲名の情報を割り当てる場合は、例えばＣＤ−ＴＥＸＴである。
【０００７】
従来、コンパクトディスクの製造工程では、このサブコードに必要な情報をコンテンツデータとは別に、フロッピーディスク等によりフォーマッタに供給し、このフォーマットにより順次サブコードのデータを生成してコンテンツデータと共にＥＦＭ（ｅｉｇｈｔ  ｔｏ  ｆｏｕｒｔｅｅｎ  Ｍｏｄｕｌａｔｉｏｎ）変調等の処理を実行し、ディスク原盤のカッティングに供するシリアルデータ列を生成するようになされている。
【０００８】
これに対して例えば特開平７−２１０５９０号公報においては、サブコードに必要な情報を１曲分のコンテンツデータとして、コンパクトディスクに記録する本来の楽曲によるコンテンツデータと共にＣＤ−Ｒに記録することにより、コンテンツデータと一体に、サブコードに必要な情報をフォーマッタに提供する方法が提案されるようになされている。
【０００９】
【特許文献１】
特開平７−２１０５９０号公報
【００１０】
【発明が解決しようとする課題】
ところでコンパクトディスクにおいては、例えば過去に発売したアルバムを改めてマザーディスクより作成する場合がある。このためコンパクトディスクの作成に必要なコンテンツデータ、サブコードに必要な情報においては、別途、コンパクトディスクを発売した後も、保管、管理することが必要になる。
【００１１】
このようなデータの保管、管理において、コンテンツデータとは別に、フロッピーディスク等にサブコードに必要な情報を記録する場合にあっては、保管、管理が不便で、さらには運搬に不便な問題がある。
【００１２】
これに対して例えば特開平７−２１０５９０号公報の手法を適用すると、コンテンツデータとサブコードに必要な情報とを一体に管理できることにより、このような不便さについては解消し得るものの、サブコードの生成に必要な情報をＣＤ−Ｒに記録する分、コンテンツデータを記録するための記録容量が低減し、これにより例えば全体として演奏時間の長いアルバムについては、実際上、適用できない問題がある。特に、サブコードＲ〜Ｗを使用する場合にあっては、その分、サブコードに必要な情報が著しく増大することにより、一段とコンテンツデータを記録するための記録容量が低減することになる。
【００１３】
本発明は以上の点を考慮してなされたもので、過去に発売したアルバムを改めてマザーディスクより作成するような場合に対して、コンテンツデータとサブコードに必要な情報とを簡易かつ確実に管理可能とし得、また運搬を容易とすることができるデータ処理装置、データ処理方法を提案しようとするものである。
【００１４】
【課題を解決するための手段】
かかる課題を解決するため請求項１の発明においては、ディスク原盤のカッティングに供するシリアルデータ列を生成するデータ処理装置に適用して、光ディスクより再生したコンテンツデータ及びサブコードデータを取得するデータ取得手段と、コンテンツデータ及びサブコードデータに基づいてシリアルデータ列を生成するデータ生成手段とを備えるようにする。
【００１５】
また請求項３の発明においては、ディスク原盤のカッティングに供するシリアルデータ列を生成するデータ処理方法に適用して、過去に作成した光ディスクを再生してコンテンツデータ及びサブコードデータを取得し、コンテンツデータ及びサブコードデータに基づいてシリアルデータ列を生成する。
【００１６】
請求項１の構成により、ディスク原盤のカッティングに供するシリアルデータ列を生成するデータ処理装置に適用して、光ディスクより再生したコンテンツデータ及びサブコードデータを取得するデータ取得手段と、コンテンツデータ及びサブコードデータに基づいてシリアルデータ列を生成するデータ生成手段とを備えるようにすれば、あえてマスタのコンテンツデータ及びサブコードデータを保管管理しなくても、過去に生産した光ディスクを保管管理するだけで、過去に発売したアルバムを改めてマザーディスクより作成するような場合に対応することができる。これにより従来に比して、コンテンツデータとサブコードに必要な情報とを簡易かつ確実に管理可能とし得、運搬も容易とすることができる。
【００１７】
これにより請求項３の構成によれば、従来に比して、コンテンツデータとサブコードに必要な情報とを簡易かつ確実に管理可能とし得、また運搬を容易とすることができるデータ処理方法を提供することができる。
【００１８】
【発明の実施の形態】
以下、適宜図面を参照しながら本発明の実施の形態を詳述する。
【００１９】
（１）第１の実施の形態
（１−１）第１の実施の形態の構成
図１は、本発明の実施の形態に係る光ディスク作成工程を示すブロック図である。この光ディスク作成工程１では、カッティング装置２によりディスク原盤３を露光した後、このディスク原盤を現像処理、電鋳処理してマスターディスクを作成し、このマスターディスクよりスタンパを作成してコンパクトディスクを作成するようになされている。
【００２０】
この光ディスク作成工程１においては、このようにして作成するコンパクトディスクが、過去に作成したコンパクトディスクを改めて作成するものであり、この過去に作成したコンパクトディスク４が、光ディスクドライブ５に装填される。ここでこの光ディスクドライブ５は、ＳＣＳＩ（Ｓｍａｌｌ  Ｃｏｍｐｕｔｅｒ  Ｓｙｓｔｅｍ  Ｉｎｔｅｒｆａｃｅ  ）インターフェースによりコンピュータに接続して、このコンピュータの制御により動作するコンパクトディスクの再生装置であり、この実施の形態では、コンピュータ６の制御によりコンパクトディスク４に記録させたコンテンツデータ、サブコードデータ、ＴＯＣ（Ｔａｂｌｅ  Ｏｆ  Ｃｏｎｔｅｎｔｓ  ）のデータ等を再生してコンピュータ６に出力する。
【００２１】
コンピュータ６は、ＳＣＳＩインターフェースを有する通常のコンピュータであり、オペレータの指示によりハードディスク装置（ＨＤＤ）７に記録した所定のプログラムを中央処理ユニット（ＣＰＵ）８により実行することにより、コンテンツデータ、サブコードデータ、ＴＯＣデータの再生を指示するコマンドを光ディスクドライブ５に発行し、光ディスクドライブ５から出力されるコンテンツデータ、サブコードデータ、ＴＯＣデータを取得する。
【００２２】
コンピュータ６は、これらのデータのうち、コンテンツデータについては、ハードディスク装置７に順次トラック毎に記録する。これに対してサブコードデータについては、チャンネル毎に分離した後、フォーマッタ１０でディスク原盤３の露光に供給するサブコードを生成可能に所定フォーマットによりハードディスク装置７に記録する。
【００２３】
具体的にこの実施の形態においては、図２に示すマスターＣＵＥ情報シートフォーマットにより記録される。ここでサブコード情報シートヘッダは、図３に示すように、フォーマットタイプ、フォーマットバージョン等の情報により構成される。また図４に示すようにサブコードＰ情報シートは、各トラックのスタートフラグの先頭部時間情報及び末尾部時間情報によるサブコードＰの生成に供する情報により構成される。また図５に示すように、サブコードＱ情報シートは、各トラックのフォーマット、トラック番号、インデックス情報、データフォーマットの変換点の時間情報等によるディスクの編集レイアウトに関するサブコードＱの生成に供する情報により構成される。これに対してＰＯＳコード情報シートは、ＰＯＳに係る情報、ＩＳＰＣ情報シートは国際標準レコーディングコードの情報により構成される。
【００２４】
またコンピュータ６は、オペレータの操作によりこのようにして記録したコンテンツデータ、サブコードデータ、ＴＯＣのデータをフォーマッタ１０に出力する。
【００２５】
フォーマッタ１０は、このようにしてコンピュータ６から出力されるコンテンツデータ、サブコードデータ、ＴＯＣのデータを順次処理して図６〜図９について上述したフォーマットによりＥＦＭフレームを形成し、このＥＦＭフレームのデータをＥＦＭ変調処理した後、同期信号を介挿してシリアルデータ列によるＥＦＭ変調信号を生成する。具体的にサブコードＰ情報シートフォーマットによる時間情報によりサブコードＰのフラグを設定し、またサブコードＱ情報シートフォーマットによるトラック番号（ＴＮＯ）、時間情報（Ａ−ＴＩＭＥ）等によりサブコードＱの対応する項目（ＴＮＯ、Ａ−ＴＩＭＥ等）を設定してＥＦＭ変調信号を生成する。
【００２６】
カッティング装置２は、このシリアルデータ列をＮＲＺＩ（Ｎｏｎ  Ｒｅｔｕｒｎ  ｔｏ  Ｚｅｒｏ  Ｉｎｖｅｒｔｅｄ  ）変調することにより、ディスク原盤３に形成するピット列に対応して信号レベルが切り換わる駆動信号を生成し、この駆動信号によりディスク原盤３に照射するレーザービームをオンオフ制御する。
【００２７】
（１−２）第１の実施の形態の動作
以上の構成において、この実施の形態では、ディスク原盤３の露光に供するコンパクトディスクであって、過去に作成されたコンパクトディスク４が光ディスクドライブ５に装填される。また、コンピュータ６から出力されるコマンドによりこの光ディスク４が順次再生され、その結果得られるＴＯＣのデータ、コンテンツデータ、サブコードデータがコンピュータ６に入力される。
【００２８】
コンピュータ６では、コンテンツデータがハードディスク装置７に記録され、またサブコードデータについては、各チャンネル毎に分離された後、フォーマッタ１０によりサブコードデータを生成することができるように、各コンテンツの開始、終了の時間情報等によりハードディスク装置７に記録される。またＴＯＣのデータについても、同様に、フォーマッタ１０により処理可能に、ハードディスク装置７に記録される。またこのようにして記録したＴＯＣのデータ、コンテンツデータ、サブコードデータがフォーマッタ１０に出力され、ここでカッティング装置２の駆動に供するシリアルデータ列が生成され、このシリアルデータ列に基づいてカッティング装置２によりディスク原盤３が露光される。
【００２９】
これによりこの実施の形態では、わざわざコンテンツデータと対応するサブコードの生成に供するデータとを管理しなくても、対応するデータをフォーマッタ１０に提供してコンパクトディスクを再生することができ、これにより過去に発売したアルバムを改めてマザーディスクより作成するような場合に対して、コンテンツデータとサブコードに必要な情報とを簡易かつ確実に管理可能とすることができる。また過去のコンパクトディスクにあっては、このようなコンテンツデータ及びサブコードのデータとが一体に記録されていることにより、このようなデータの運搬についても容易とすることができる。
【００３０】
またこのようなコンテンツデータ、サブコードデータを提供するコンパクトディスク４にあっては、カッティングされた光ディスクと同様の構造をもっていることにより、カッティングにより作成するコンパクトディスクのモデルにもなり、これによりカッティングより作成するコンパクトディスクの構造を直感的に想像し得、また元のコンパクトディスク４を試聴等して、作成するコンパクトディスクを事前に確認等することができる。
【００３１】
（１−３）第１の実施の形態の効果
以上の構成によれば、過去に作成した光ディスクを再生してコンテンツデータ及びサブコードデータを取得し、これらコンテンツデータ及びサブコードデータに基づいてカッティングに供するシリアルデータ列を生成することにより、過去に発売したアルバムを改めてマザーディスクより作成するような場合に対して、コンテンツデータとサブコードに必要な情報とを簡易かつ確実に管理可能とし得、また運搬を容易とすることができる。
【００３２】
（２）第２の実施の形態
この実施の形態においては、コンパクトディスク４から取得したＴＯＣデータ、サブコードデータに基づいて、フォーマッタによりＴＯＣデータ、サブコードデータを生成する代わりに、コンピュータ６側でこれらの処理を実行する。なおこのようなデータ処理に係る部分が異なる点を除いて、この実施の形態においては、第１の実施の形態と同一に構成される。
【００３３】
この実施の形態のようにコンピュータ側でＴＯＣデータ、サブコードデータを生成するようにしても、第１の実施の形態と同一の効果を得ることができる。
【００３４】
（３）第３の実施の形態
この実施の形態においては、オペレータの操作によりハードディスク装置７で編集の処理を受け付け、これにより例えば過去に作成した複数のアルバムより人気のあった曲を選択していわゆるベストアルバム等を作成できるようになされている。
【００３５】
このためコンピュータ６においては、オペレータによりハードディスク装置７に記録されたコンテンツデータの選択に対応して、このハードディスク装置７に記録されてなる対応するサブコードのデータを選択して、フォーマッタ１０に出力するサブコードのデータを生成するようになされている。またこのようなコンテンツの選択に対応してＴＯＣの生成に必要なデータを生成するようになされている。
【００３６】
またこのようにしてコンテンツデータの選択を受け付け、対応するサブコード、ＴＯＣの生成に必要なデータを生成すると、これらをコンテンツデータと共にフォーマッタ１０に出力するようになされている。
【００３７】
この第３の実施の形態によれば、編集処理する場合であっても、第１の実施の形態と同様の効果を得ることができる。
【００３８】
（４）他の実施の形態
なお上述の実施の形態においては、過去に作成したと同一のコンパクトディスクを作成する場合、編集によりいわゆるベストアルバムによるコンパクトディスクを作成する場合について述べたが、本発明はこれに限らず、例えばサブコードＲ〜Ｗを付け加えてコンパクトディスクを作成し直す場合等にも広く適用することができる。
【００３９】
また上述の実施の形態においては、本発明によりコンパクトディスクを作成する場合について述べたが、本発明はこれに限らず、ＣＤ−ＲＯＭを作成する場合、ＤＶＤ、自世代の光ディスクを作成する場合等に広く適用することができる。
【００４０】
【発明の効果】
上述のように本発明によれば、過去に作成した光ディスクを再生してコンテンツデータ及びサブコードデータを取得し、これらコンテンツデータ及びサブコードデータに基づいてカッティングに供するシリアルデータ列を生成することにより、過去に発売したアルバムを改めてマザーディスクより作成するような場合に対して、コンテンツデータとサブコードに必要な情報とを簡易かつ確実に管理可能とし得、また運搬を容易とすることができる。
【図面の簡単な説明】
【図１】本発明の第１の実施の形態に係るコンパクトディスクの製造工程の説明に供するブロック図である。
【図２】マスターＣＵＥ情報フォーマットを示す図表である。
【図３】サブコード情報シートヘッダフォーマットを示す図表である。
【図４】サブコードＰ情報シートヘッダフォーマットを示す図表である。
【図５】サブコードＱ情報シートヘッダフォーマットを示す図表である。
【図６】コンパクトディスクのＥＦＭフレームの構造を示す図表である。
【図７】コンパクトディスクのサブコードの説明に供する図表である。
【図８】Ｐ及びＱのサブコードの説明に供する図表である。
【図９】サブコードＱのフォーマットを示す図表である。
【符号の説明】
２……カッティング装置、３……ディスク原盤、４……コンパクトディスク、５……光ディスクドライブ、６……コンピュータ、１０……フォーマッタ
【図１】
2004213789.tif 000003
【図２】
2004213789.tif 000004
【図３】
2004213789.tif 000005
【図４】
2004213789.tif 000006
【図５】
2004213789.tif 000007
【図６】
2004213789.tif 000008
【図７】
2004213789.tif 000009
【図８】
2004213789.tif 000010
【図９】
2004213789.tif 000011